(57)【特許請求の範囲】
【請求項１】
チップを含みかつ前記チップに金を預けることができるスマート・カードのような、電子財布を含むキャッシュ・カードで支払いを達成する方法であって、キャッシュ・カードを支払いに使用するとき、キャッシュ・カードを現金出納装置又は自動出納装置のような支払い端末で読み取り、支払い合計をチップに記憶された金額から差し引き、かつキャッシュ・カードがキャッシュ・カードに結び付けられているキャッシュ・カード番号に関係するデータを含む方法において、
キャッシュ・カード（１）を支払い端末（３）のキャッシュ・カード読取り装置（４）に読み取るとき、キャッシュ・カード取引を実施できるようにするために前記キャッシュ・カード番号を読み取りかつ登録し、かつチップ（２）上の有効な金額をまた読み取りかつ登録することと、
チップが関連した合計の全体を償うのに充分な金額を含みかつ前記取引を実施するのに充分な時間間隔の間キャッシュ・カード読取り装置（４）内に残っているときに限り、支払い端末（３）がチップ（２）から関連した金額を差し引き、その場合支払い端末（３）に読み取ったキャッシュ・カード番号を消去させることと、
チップ（２）が関連した金額の全体を償うのに充分な資金を含んでいない又は前記充分な時間長の間キャッシュ・カード読取り装置内に残っていないとき、支払い端末のコンピュータ（５）に記憶された登録キャッシュ・カード番号に基づいて、支払い端末（３）にキャッシュ・カード取引を実施させ、その際に、カード・ユーザに対して借方に記入し、及びユーザによって購入されかつキャッシュ・カード取引を介して支払われた物品又はサービスに関する企業主へ金を転送するために、取引を前記支払い端末のコンピュータ（５）から、１つ以上の中央コンピュータを経由して、もう一つのコンピュータ（７）へ転送することとを特徴とする方法。
【請求項２】
請求項１記載の方法であって、支払い端末（３）に前記キャッシュ・カード上の機械可読コード（８）から手動キャッシュ・カード読取り装置（４）内でキャッシュ・カード番号を読み取らせる方法。
【発明の詳細な説明】
【０００１】
本発明は、電子財布（ｅｌｅｃｔｒｏｎｉｃ  ｐｕｒｓｅ）を備えるキャッシュ・カードを介して支払いを達成する方法に関する。
【０００２】
新規な型式のキャッシュ・カードが、現在、世界の異なった地域に導入されつつある。このキャッシュ・カードは、チップを含む云わゆるスマート・カードであって、このチップ内に金を積むことができる。カードを支払いに使用するとき、支払い現金箱（ｐａｙ  ｔｉｌｌ）のような支払い端末内にカードを挿入し、チップに記憶された合計から関連した金額を引き出す。それゆえ、チップに記憶された金の合計が支払われた金額だけカウント・ダウンされる。例えば、銀行又はこの目的のために意図した特別端末における銀行勘定等から金をキャッシュ・カード内のチップへ転送することができる。
【０００３】
ＥＭＶカードは現在導入されつつあるこの型式のカードの例であり、ここにＥＭＶはユーロカード、アメリカン・エックスプレス、及びビザ（Ｅｕｒｏｃａｒｄ，Ａｍｅｒｉｃａｎ  Ｅｘｐｒｅｓｓ  ａｎｄ  Ｖｉｓａ）を表す。このようなキャッシュ・カードは、それぞれのキャッシュ・カード会社に関するクレジット・カード勘定に結び付けられている。中でも、勘定番号（ａｃｃｏｕｎｔ  ｎｕｍｂｅｒ）に関係するデータがチップに及び／又はカードの後ろ側上の慣例の磁気テープ上に記憶される。
【０００４】
このようなカードの使用に関する１問題は、カード所有者がカード・チップ内の有効な資金（ｆｕｎｄｓ）の限度に常に気付いているとは限らないことである。これは、カード所有者がサービスを購入しそれが後の日付で借方記入（ｄｅｂｉｔ）されるとき、すなわち、カード所有者が最終金額、借記額（ｆｉｎａｌ  ｃｈａｒｇｅ）に気付いていないときに、特に云える。駐車料金、カード操作形電話機等は、このようなサービスの例である。在来のクレジット・カード取引きはまた比較的高く付き、したがって、このような取引きを回避することが望ましい。
【０００５】
他の問題は、電動キャッシュ・カード読取り装置の使用に存在する。なぜならば、これらの読取り装置は電動カード読取り装置に「呑み込まれ」たカードを送り出すことが失敗したときにこの機械を開けるのに人員の使用可能性を要求するからである。したがって、ユーザが自分のカードを押し込みかつカードを手動で引き出す手動カード読取り装置が好適である。これについて、云わゆるスマート・カードに関する１問題は、取引きを実施するに連れてカードをカード読取り装置内に挿入しなければならないことである。それゆえ、もしユーザがカードを時期早尚に引き出すならば、チップを媒介して取引きを実施することができない。
【０００６】
本発明は、これらの問題を解決する。
それゆえ、本発明は、金の合計を入れることができる云わゆるチップを含む云わゆるスマート・カードのような、電子財布を含むキャッシュ・カードを支払いに使用するとき、キャッシュ・カードを支払い現金箱のような支払い端末で読み取り、関連した金額をチップに記憶された合計から差し引き、かつキャッシュ・カードがそのカードに結び付けられているキャッシュ・カード番号と関係するデータを含む、キャッシュ・カードで支払いを達成する方法に関し、かつ本発明は、キャッシュ・カードを支払い端末のキャッシュ・カード読取り装置に読み取るとき、キャッシュ・カード取引きを実施できるようにキャッシュ・カード番号を読み取りかつ登録し、かつチップ上の有効な金額をまた読み取りかつ登録することと、チップが全金額借記額（ｆｕｌｌ  ｃｈａｒｇｅ）を満たすのに充分な資金額を含みかつこのような取引きの所用時間の間キャッシュ・カード読取り装置内に残っているときに限り支払い端末にチップから関連した合計を差し引かせ、その場合支払い端末に読み取ったキャッシュ・カード番号を消去させることと、チップが完全支払いを達成するのに充分な資金を含んでいないとき又はキャッシュ・カード読取り装置内に居座っていないとき支払い端末に在来のキャッシュ・カード取引きを実施させることとを特徴とする。
【０００７】
本発明をそれの例証実施の形態を参照してかつまた添付図面を参照して詳細に説明する。
【０００８】
図２は、電子財布を含むキャッシュ・カード１の実施の形態を例示する。このカードは、金の合計を入れることができるチップ２を含むスマート・カードであることもできる。カードを支払いに使用するとき、カードは現金出納装置（ｃａｓｈ  ｐｏｉｎｔ  ｔｅｌｌｅｒ）、自動出納装置（ａｕｔｏｍａｔｉｃ  ｔｅｌｌｅｒ）等のような支払い端末に読み取られる。
【０００９】
支払い端末は、行う支払いの性質及びその支払い端末の意図する目的次第でどの適当な型式の端末であってもよい。図１に例証した支払い端末は支払いメータ（ｐａｙ  ｍｅｔｅｒ）３であって、これで以て駐車料金を支払う。支払いメータは、カード読取り装置４を備えている。支払いメータはまた、ディスプレイ９及びおそらくはボタン１０、１１、１２を含み、これらのボタンを用いてユーザが駐車期間を選択すること、駐車領収書を得ること、取引きを消去すること等ができる。
【００１０】
カードを読み取りかつその妥当性を確証することに続いて、取引きが実施され、この取引きの中で支払い端末が支払いメータと通信接続しているカードと共同作用し、それで以て関連した金額をチップに記憶された合計から差し引く。それゆえ、支払いが行われた後にはチップ内の有効な資金は少なくなっている。
【００１１】
カード１はまた、そのカードに結び付けられたキャッシュ・カード番号に関係するデータを含む。
【００１２】
本発明によれば、カード１を支払い端末３のカード読取り装置４内に挿入するとき、カード番号を読み取りかつ登録してキャッシュ・カード取引きを実施することができるようにし、及びチップ上の有効な金額をまた読み取りかつ登録する。これらのデータを支払い端末内のコンピュータ５のメモリに記憶する。
【００１３】
チップ２が完全支払いを償うのに充分な資金を含みかつこのような取引きが実施されつつある間キャッシュ・カード読取り装置４内に居座っているときに限り、支払い端末３、５にチップから関連した金額を支払いだけ差し引かせる。
【００１４】
支払い取引きに関係するデータを支払い端末のコンピュータ５から、１つ以上の中央コンピュータを経由して、例えば、銀行コンピュータ６へ送り、かつカード・ユーザが前記チップを媒介して支払いを行った対称の物品又はサービスに関する企業主（ｐｒｏｐｒｉｅｔｏｒ）へ銀行が金を転送する。
【００１５】
前記端末のコンピュータ５がチップ２と通信するためにはカードが支払い端末内に残っていることが必要である。これは、電動カード読取り装置を備えているかつ取引きが完了するまではカードを返却しないどの支払い端末にも問題を生じない。しかしながら、ユーザ自身がカードを挿入しかつ引き出すと云う意味で手動であるキャッシュ・カード読取り装置を使用することが望ましい。カードを「呑み込む」、すなわち、読取り装置内に供給されたカードを返却することに失敗する危険は、手動カード読取り装置にはない。したがって、サービス人員の出動は、他の場合におけるほど必要ではない。
【００１６】
カード上の有効な資金が支払いを償うのに充分でありかつ取引きを完了するとき、支払い端末はカードから読み取ったキャッシュ・カード番号を消去し、それであるからキャッシュ・カード取引を実施することはできない。
【００１７】
チップ取引きを実施することになっている間、チップ４が支払いを完全に償うのに充分な資金を含んでいない又はキャッシュ・カード読取り装置４内に残っていないときには、支払い端末に在来のキャッシュ・カード取引を遂行させる。この取引は、支払い端末のコンピュータ５に記憶された登録キャッシュ・カード番号に基づいて遂行される。カード・ユーザに対して借方に記入し及びユーザによって購入されかつキャッシュ・カード取引を介して支払われた物品又はサービスに関する企業主へ金を転送するために、取引きを前記支払い端末のコンピュータ５から、１つ以上の中央コンピュータを経由して、例えば、キャッシュ・カード会社に所属するコンピュータ７へ転送する。
【００１８】
本発明の１実施の形態では、支払い端末に前記カード１に添付された機械可読コードからカード番号を読み取らせる。このようなコードは、カード上の磁気ストリップ８内に置かれることがある。バー・コードのような他のコードがまた使用されることがある。
【００１９】
本発明の代替実施の形態では、支払い端末にカード付帯チップ（ｃａｒｄ−ｃａｒｒｉｅｄ  ｃｈｉｐ）からカード番号を読み取らせる。磁気ストリップからキャッシュ・カード番号を読み取ることの１利点は、カードをカード読取り装置内に押し込む又はこれから引き出すに連れてカード番号を読み取ることができるから、たとえチップを用いる取引きを達成するのに充分な時間が経過しない前にユーザが自分のカードをカード読取り装置から時期早尚に取り出しても、支払い請求（ｂｉｌｌｉｎｇ）がカード取引きを通して実施されることである。
【００２０】
このような状況の１例は、駐車システム内の車の駐車に見い出され、このシステムではカードが駐車期間の開始に支払いメータによって読み取られかつ駐車期間の終結で再び読み取られる。例えば、キャッシュ・カードの番号が駐車期間の開始に記憶されかつ前記駐車期間の終結に再び読み取られかつ記憶される。もしユーザが充分に長い時間にカードをカード読取り装置に残して置くならば、チップ２から支払いを行うことによって駐車料金を支払うことができ、これは支払いの好適方法である。しかしながら、たとえユーザが時期早尚にカードを引き出しても、キャッシュ・カード取引きが行われる。
【００２１】
上の説明から、本発明が導入部で触れた問題を解決しかつ支払いをチップを介して主として行うことができるようにする一方、前記チップの形で電子財布を含むキャッシュ・カードに対して手動カード読取り装置を使用できるようにすることが明らかである。
【００２２】
変形実施の形態及び修正実施の形態を添付の特許請求の範囲内で行うことができるから、云うまでなく、本発明はそれについて前に説明したかつ図示した実施の形態に限定されない。
【図面の簡単な説明】
【図１】  支払い端末の図及びその概略ブロック図である。
【図２】  本発明の１実施の形態によるキャッシュ・カードの図である。
【図１】
0004315595.tif 000002
【図２】
0004315595.tif 000003